【事件の表示】
　平成　６年特許願第５０２６８９号「改良形胆管カテーテル」拒絶査定不服審判事件〔平成　５年１１月２５日国際公開、ＷＯ９３／２３１０６、平成　６年１２月２２日国内公表、特表平　６−５１１４０９号〕について、次のとおり審決する。
【結　論】
　本件審判の請求は、成り立たない。
【理　由】
【１】手続の経緯・本願発明
　本願は、１９９３年５月１１日（優先権主張：１９９２年５月１１日、米国）を国際出願日とする出願であって、その請求項１に係る発明（以下、「本願発明」という。）は、平成１６年１２月２１日付け手続補正書により補正された明細書及び図面の記載からみて、その請求の範囲請求項１に記載された次のとおりのものと認められる。
　　　
「患者の管を可視化するのに使用される胆管カテーテルであって、該胆管カテーテルは、
　手元側端部と、全体が電気絶縁材料で形成されている先端側端部とを有するカニューレと、
　前記カニューレ内に構成された第１管腔および第２管腔と、を含み、前記各管腔は、前記カニューレの前記手元側端部から前記先端側端部まで延びており、
　前記第２管腔内に挿入可能なばねワイヤガイドを更に含み、前記第２管腔は、前記先端側端部に開口を有し、前記ばねワイヤガイドはこの開口を通して延び、前記ばねワイヤガイドは、所望の位置に位置決めされるよう構成されており、前記カニューレは、該カニューレを前記所望の位置に位置決めするように前記ばねワイヤガイド上を前進可能であり、
　前記第１管腔は、前記カニューレの前記先端側端部に設けられた開口まで延び、
　前記第１管腔の手元側端部に設けられ、造影剤輸液手段を受け入れるためのコネクタを更に含み、
　前記第１管腔は、前記ばねワイヤガイドが前記第２管腔内にあるときに該第１管腔を通して造影剤を通過させることができるように構成されていることを特徴とする胆管カテーテル。」
　　
【２】引用刊行物記載の発明
　当審における平成１６年６月１４日付け拒絶理由通知で引用例１として引用した米国特許第４６８２５９６号明細書には、図面とともに以下の事項が記載されている。
（ａ）
「One preferred embodiment of a device constructed according to   
the teachings of the present invention is illustrated in FIGS. 5-9 
and is generally identified therein by reference numeral 130.  
The device 130 includes a catheter or elongate tubular body 131  
having a distal end 132, a proximal end 133, a central lumen 134 
and first and second radially outwardly located lumens135 and  
136. The catheter 131 is preferably made of polyurethane.
The distal end 132 has an isolation collar 137 made of  
a high-malting point plastic such as, but not limited to, 
silicone, TFE  (tetrafluoroethylene),polyphenylenesulfide, 
or ceramic or glass, mounted thereto. 
Mounted to and within the collar 137 is a hollow metal tip 
member or electrode 138 made of stainlesslsteel, 
platinum, titanium or similar electrode material.
As shown, the metal tip member 138 is fully received within 
a countersunk cavity 139 in the collar 137 and has a bore 140 
which mates with, and is flush with a bore 141 in the collar 1. 
An annular front surface 142 of tip member 138 is flush with 
a front surface 143 of the collar 137 which surface 143 has 
a bevel or round 144 at its largest radius.  
The bore 141 mates with　and flush with the central lumen 134.
The lumen 135 opens onto outer cylindrical surface 145 of body　
131 at a port 146 in  the distal end 132 just behind collar 137.
Flushing fluid, such as deionized water, is supplied to 
the lumen 135 though a connector fitting 147 made of polycarbonate 
and a tube 148 made of polyurethane coupled at an angle to 
the proximal end 133 of the tubular body 131 as shown. 
The coupling of tube 148  to the catheter body 131 may 
also be accomplished by means of a bonded or molded-on plastic 　
connector, not shown. 　    　                  　
Another fitting 149 and tubing 150 are coupled at an angle 
to the proximal end 133 of the tubular body 131 and 
communicate with lumen 136 which together form  
a passageway for a wire or ribbon conductor 151 made of copper, 
silver, nickel or other suitable electrically conductive material.  
The conductor 151 extends to and into the collar 137 and 
is soldered or welded at 152 to the tip member 138. 」（第９欄第４〜４４行）（翻訳：「本発明の教示によって製作した装置の推奨実施態様が図５−９ に示され、全体として、それらの中で、番号130によって表される。装置130は遠位端132、近位端133、中心管腔134、および第一と第二の半径方向外側に位置付けられた管腔135と136を有するカテーテルまたは伸長した管状本体130を具備する。カテーテル131は好適にはポリウレタン製である。遠位端132は、それに取り付けられた、シリコン、TFE(テトラフルオロエチレン)、ポリフェニレンサルファイドなどを始めとするが、それらに限定されない高融点プラスチック、またはセラミックあるいはガラスの絶縁性のカラー137 を有する。カラー137 に、あるいはその中に取り付けられた中空金属先端部材または電極138はステンレススチール、プラチナ、チタンまたは同様な電極材料製である。
　図示したごとく、金属先端部材138はカラー137内の皿穴139内に完全に受納され、カラー137内の穴141と合わされ、それと画一の穴140 を有する。先端部材138の環状前面表面142はその表面がその最大半径で斜角をつけるか丸くされた144カラー137の前面表面143と画一である。穴141は中心管腔134と合わされ、それと面一である。
管腔135はカラー147の真後ろの遠位端132内の孔146で本体131の外側円筒状表面145 に開いている。脱イオン水などの洗浄流体は図示したごとくポリカーボネート製のコネクタ取付具147と管状本体131の近位端133 にある角度で結合したポリウレタン製の管148を通って管腔135に供給される。カテーテル本体131への管148の接続は、図示されていない結合された、あるいは重ね成型したプラスチックによって実現することもできる。
別の取付具149と管材150は管状本体131の近位端133にある角度で結合され、管腔136と連通して、銅、銀、ニッケル、その他の適切な電導性材料のワイヤー又はリボン導体151のために通路を一緒に形成する。導体151はカラー137へ、またその中に延長して152で先端部材138に鑞付けまたは溶接されている。」） 
（ｂ）
「Also in use,  a heavily insulated guidewire or stylet157 is 　
passed through the lumen 134 which has a diameter approximately　
one-half (1/2 ) the diameter of tubular body 131 for stiffening　
the device 130 and for guiding the tip member 138 to a desired　
site in a blood vessel. 」（第９欄第５９〜６３行）（翻訳：「さらに、使用に際し、装置130を強化し、血管内の所望の部位に先端部材138を案内するために管状本体の直径のおよそ２分の１（1/2）の直径を有する管腔134に強力に絶縁した案内ワイヤー又は探り針が通される。」） 
（ｃ）　
「As the catheter is advanced, deionized water or a non-conducting　
solution is flushed through one of the flushing lumens.　
This lumen is also used for injecting a radio-opaque dye into  
the blood vessel at the site of stenotic buildup to confirm proper　
catheter placement.」（第１１欄第５５〜５９行）（翻訳：「カテーテルが前進するにつれて、脱イオン水または非電導性液体が洗浄管腔の一つに通される。この管腔は適切なカテーテル配置を確認するために狭窄堆積部位で血管内にＸ線不透過性染料を注入するのにも用いられる。」） 
（ｄ）　
「These devices10,40,80,110,130,160,180,190 and 200 have  
application in connection with not only resolving plaque,　
but also in connection with clearing hepatic and bile ducts and　
liver tissue in general where hepatic flow must be corrected.」（第１２欄第２５行〜２９行）（翻訳：「これらの装置10、40、80、110、130、160、180、190または200はプラーク融解に関連するだけでなく、肝臓の流れを矯正しなければならない肝臓及び胆管並びに肝臓組織一般の清掃と関連する用途もある。」） 
（ｅ）　
「claim:  
 1. An electrosurgical plaque-resolving or tissue-eroding device　
having a distal end which is insertable within and along the　
lumen of a blood vessel and manipulated therethrough to a desired　
position without causing undue trauma where the device is　
operated to thermally resolve atherosclerotic plaque buildup 　
or erode tissue in the blood vessel to re-establish desired　
blood flow through the blood vessel or to remove tissue　
therefrom, said device comprising: an elongate flexible　
hollow tubular body having a distal end, a proximal end,　
and a diameter smaller than the diameter of the vessel into　
which said device is inserted; first passage means within　
said tubular body for supplying a flushing fluid to the site　
where plaque or tissue is resolved or eroded; second passage　
means within said tubular body for evacuating, such as by suction,  
debris at the site of resolving plaque or eroding tissue from  
the site;a hollow tip member mounted at said distal end of said 
flexible hollow tubular body; an electrode adjacent to and in 
operative association with said hollow tip member for resolving 
plaque or eroding tissue, said tip member being beveled or rounded　
at the distal end of said device; means for supplying　
a high-frequency electrical current to said electrode for cutting　
tissue or coagulating body fluid; and means for sensing,　
from time to time, the amount of plaque or tissue at the site　
in the blood vessel.　
・・・（中略）・・・　
24．The device of claim 1 wherein said sensing means further　
includes radio-opaque dye and X-ray viewing means,　
said radio-opaque dye being injected into the blood vessel　
at the site and the X-ray image showing the amount of plaque　
remaining being displayed on said viewing means.」（第１２欄第４６行〜第１４欄第１０行）（翻訳：「請求の範囲 
１．血管管腔内及びそれに沿って挿入し、血管内を通る所望の血液の流れを回復するために、あるいはそこから組織を融解するための血管内のアテローム性動脈硬化プラーク堆積を熱で融解するか組織を浸食するために装置が操作される所望の位置まで不当な外傷なしにそこを通って操作されるのに適した遠位端を有する電気外科プラーク融解または組織浸食装置において、 
 遠位端と近位端と、装置が挿入される血管の直径よりも小さな直径を有する伸長した可撓性中空管状本体と；プラークまたは組織が融解される部位に洗浄流体を供給するための前記管状本体内の第一の通路手段と；プラーク融解または組織浸食部位の残骸を部位から、吸引などによって、排出するための前記管状本体内の第二の通路と；前記可撓性中空管状本体の遠位端に取り付けられた中空先端部材と；プラークを融解するか組織を浸食するための、前記装置の遠位端で斜角が付けられるか丸くされた、前記中空先端部材に隣接して操作自在に組み合わされた電極と；組織を切断するか体液を凝固させるために前記電極に高周波電流を供給するための手段と；血管内の領域においてプラークまたは組織の量を、適時、検出するための手段；とからなる装置。 
 …（中略）… 
２４．前記検出手段がX線不透過性染料とX線造影手段を有し、前記X線不透過性染料が血管内の部位に注入され、残留プラーク量を示すＸ線画像が前記造影手段上に表示される請求項１に記載の装置。 」） 
（ｆ）　
　上記（ａ）ないし（ｅ）の記載事項及び図５ないし図７から、カラー１３７の外表面部分は環状の周囲が丸くされた表面１４４となっており、カラー１３７の上記丸くされた表面１４４以外のカテーテル１３１の前面側は、電極１３８前面側と面一で、電極１３８の前面側とともにカテーテル１１の先端面部を構成する平らな表面となっていること、中心管腔１３４が先端面部を貫いて開口していること、案内ワイヤー１５７が、近位端１３３の手前から開口を越えて通されていること、カテーテル１３１の近位端１３３近傍において管１４８がある角度で管腔１３５に連通しており、管腔１３５はカラー1３7の真後ろの遠位端１３２内の孔１４６でカテーテル１３１の外側円筒状表面１４５に開いていること、管１４８にコネクタ取付具１４７が取付けられていること、カテーテル１３１の近位端１３３近傍において管材１５０がある角度で管腔１３６に連通しており、管材１５０に取付具１４９が取付けられており、リボン導体１５１が、取付具１４９、管材１５０を通っていること、管腔１３６は、上記遠位端１３２で行き止まりとなっていることが読み取れる。 
 　　　
【３】対比・判断
　そして、【２】の（ａ）ないし（ｅ）の記載事項及び（ｆ）の図示内容を総合すると、刊行物には、次の発明（以下、「刊行物発明」という。）が記載されているものと認められる。
　　 
 「電気外科プラーク融解または組織浸食装置に使用する装置１３０であって、上記装置１３０は、患者の血管内の領域においてプラークまたは組織の量を適時、検出するのにも使用され、胆管にも使用され、上記装置１３０は、遠位端１３２と近位端１３３、中心管腔１３４及びその外側に位置付けられた管腔１３５及び１３６を有するポリウレタン製カテーテル１３１を具備し、上記遠位端１３２は、絶縁性の高融点プラスチックのカラー１３７を有し、上記カラー１３７の外表面部分は環状の周囲が丸くされた表面１４４となっており、上記カラー１３７内にはステンレススチール等の電極材料製の電極１３８が取り付けられており、上記カラー１３７の上記丸くされた表面１４４以外の上記カテーテル１３１の前面側は、上記電極１３８前面側と面一で、上記電極１３８の前面側とともに上記カテーテル１１の先端面部を構成する平らな表面となっており、上記中心管腔１３４が、上記先端面部を貫いて開口し、血管内の所望の部位にカテーテル１３１の先端を案内するために案内ワイヤー１５７が、上記近位端１３３の手前から上記開口を越えて通されており、上記カテーテル１３１の上記近位端１３３近傍においてポリウレタン製の管１４８がある角度で上記管腔１３５に連通しており、上記管腔１３５は上記カラー1３7の真後ろの上記遠位端１３２内の孔１４６で上記カテーテル１３１の外側円筒状表面１４５に開いており、上記ポリウレタン製の管１４８にポリカーボネート製のコネクタ取付具１４７が取付けられており、脱イオン水などの洗浄流体が、上記コネクタ取付具１４７、上記ポリウレタン製の管１４８を通って上記管腔１３５に供給されるようになっており、上記カテーテル１３１の近位端１３３近傍において管材１５０がある角度で上記管腔１３６に連通しており、上記管材１５０に取付具１４９が取付けられており、リボン導体１５１が、上記取付具１４９、上記管材１５０を通って、上記電極１３８に鑞付けされており、上記管腔１３６は、上記遠位端１３２で行き止まりとなっており、上記カテーテル１３１が前進するにつれて、脱イオン水などの洗浄流体が上記管腔１３５に通されるとともに、上記管腔１３５は、適切なカテーテル配置を確認するために狭窄堆積部位で血管内にX線不透過性染料を注入するのにも用いられ、上記Ｘ線不透過性染料が血管内の部位に注入され、残留プラーク量を示すＸ線画像が前記造影手段上に表示することができる装置１０。」
　　　
　そこで、本願発明と刊行物発明とを対比すると、
（ａ）後者の「近位端１３３」は、その機能及び構成からみて、前者の「手元側端部」に相当し、同様に、「中心管腔１３４」は「第２管腔」に、「管腔１３５」は「第１管腔」に、「カテーテル１３１」は「カニューレ」に、「（カテーテル１３１の）先端面部」は「先端側端部」、「Ｘ線不透過性染料」は「造影剤」に相当する。
（ｂ）後者の「装置１０」は、「Ｘ線造影手段」を有し、「Ｘ線不透過性染料が血管内の部位に注入され、残留プラーク量を示すＸ線画像が前記造影手段上に表示される」ものであり、「カテーテル１３１」を具備するから、後者は、前者の「患者の管を可視化するのに使用される」「カテーテル」に相当する構成を備えるものといえる。
（ｃ）後者の「装置１０」は、「胆管にも使用され」るものであるから、後者の「胆管カテーテル」の要件を満足する。
（ｄ）後者は、「上記装置１３０は、遠位端１３２と近位端１３３、中心管腔１３４及び上記中心管腔１３４の外側に位置付けられた管腔１３５及び１３６を有するポリウレタン製カテーテル１３１を具備し」ており、「上記管腔１３５を通してＸ線不透過性染料を注入することができるように構成されて」おり、「上記カテーテル１３１の上記近位端１３３近傍においてポリウレタン製の管１４８がある角度で上記管腔１３５に連通」しており、「上記ポリウレタン製の管１４８にポリカーボネート製のコネクタ取付具１４７が取付けられて」いるものであるから、後者の「管腔１３５」は、前者の「カニューレ」に相当する「カテーテル１３１」内に構成されており、前者の「第１管腔の手元側端部に設けられ、造影剤輸液手段を受け入れるためのコネクタを」含む構成に相当する構成を備えてなるものといえる。　
（ｅ）前者の「ばねワイヤガイド」も、後者の「案内ワイヤー」も、「ガイドワイヤ」という概念で共通し、その限りにおいて、後者が、「上記中心管腔１３４が、上記先端面部を貫いて開口し、血管内の所望の部位にカテーテル１３１の先端を案内するために案内ワイヤー１５７が、上記近位端１３３の手前から上記開口を越えて通されて」いるということは、後者は、前者の「前記第２管腔内に挿入可能」なガイドワイヤを含み、「前記第２管腔は、前記先端側端部に開口」を有し、前記ガイドワイヤは「この開口を通して延」び、前記ガイドワイヤは、「所望の位置に」されるよう構成されており、「前記カニューレは、該カニューレ」を前記ガイドワイヤ「上を前進可能」であるとの構成に相当する構成を備えてなるものといえるとともに、各管腔のうち、「第２管腔」は、「前記カニューレの前記手元側端部から前記先端側端部まで延びて」いる構成に相当する構成を備えてなるものといえる。
（ｆ）後者の「先端面部」に関して、後者が、「絶縁性の高融点プラスチックのカラー１３７を有し、上記カラー１３７の外表面部分は環状の周囲が丸くされた表面１４４となっており、上記カラー１３７内にはステンレススチール等の電極材料製の電極１３８が取り付けられており、上記カラー１３７の上記丸くされた表面１４４以外の上記カテーテル１３１の前面側は、上記電極１３８前面側と面一で、上記電極１３８の前面側とともに上記カテーテル１１の先端面部を構成する平らな表面となって」いるということは、「上記カラー１３７」は「絶縁性の高融点プラスチック」のものであるということから、後者の「先端面部」は、一部が電気絶縁材料で形成されてなるものといえる。
（ｇ）後者の「遠位端１３２」は、前者の「先端側」部分に存在するといえるから、後者が、「上記管腔１３５は上記カラー1３7の真後ろの上記遠位端１３２内の孔１４６で上記カテーテル１３１の外側円筒状表面１４５に開いて」いるということは、後者は、前者の「その他の管腔は、前記カニューレの前記先端側に設けられた開口」まで延びていることに相当する構成を有してなるものといえる。
　上記のことから、両者は、「患者の管を可視化するのに使用される胆管カテーテルであって、前記胆管カテーテルは、手元側端部と、少なくとも一部が電気絶縁材料で形成されている先端側端部とを有するカニューレと、
　前記カニューレ内に構成された第１管腔及び第２管腔と、を含み、前記第２管腔は、前記カニューレの前記手元側端部から前記先端側端部まで延びており、
　前記第２管腔内に挿入可能なガイドワイヤを含み、前記第２管腔は、前記先端側端部に開口を有し、前記ガイドワイヤはこの開口を通して延び、前記ガイドワイヤは、所望の位置にされるよう構成されており、前記カニューレは、該カニューレを前記所望の位置にされるように前記ガイドワイヤ上を前進可能であり、
　前記第１管腔は、前記カニューレの前記先端側に設けられた開口まで延び、
　前記第１管腔の手元側端部に設けられ、造影剤輸液手段を受け入れるためのコネクタを含む、
胆管カテーテル。」
である点で一致しているといえ、次の点で相違する。　
　　
【相違点１】：
　先端側端部に関して、本願発明では、「全体が電気絶縁材料で形成」されているものであるのに対して、刊行物発明では、一部が電気絶縁材料で形成されているものであるが、「全体が」電気絶縁材料で形成されてはいない点。
【相違点２】：
　ガイドワイヤに関して、本願発明では「ばねワイヤガイド」であり、「所望の位置に位置決めされるように構成」されているのに対して、刊行物発明では、案内ワイヤーであって、「ばねワイヤガイド」であるか否かは明らかでなく、所望の位置にされるように構成されているが、所望の位置に「位置決め」されるように構成されているか否か明らかでない点。
【相違点３】：
　第１管腔に関して、本願発明では、「前記カニューレの前記先端側端部に設けられた開口まで延」びているのに対して、刊行物発明では、カテーテルの先端側まで延びているが、カラーの真後ろの遠位端内の開口（孔）でカテーテルの外側円筒状表面に開いていて、「前記カニューレの前記先端側端部に設けられた開口まで延」びてはおらず、本願発明では、「前記ばねワイヤガイドが前記第２管腔内にあるときに該第１管腔を通して造影剤を通過させることができるように構成」されているが、刊行物発明では、そのように構成されているか否か明らかでない点。
　
　そこで上記相違点について検討する。
　相違点１について：
　刊行物発明においては、本願発明の「先端側端部」に相当する「カテーテル１３１の先端面部」について、カラー１３７の丸くされた表面以外の前面側は電気絶縁材料で形成されているものの、電極１３８部分は、ステンレススチール等の電極材料製となっており、電気絶縁材料で形成されてはいない。
　しかしながら、刊行物発明において、遠位端１３２が電極１３８を取り付けたカラー１３７を有するようにした理由は、装置１３０が電気外科プラーク又は組織浸食に使用できるようにするために、電極１３８を遠位端１３２の前面に設ける必要があることによるためであると理解される。
　ここで、装置１３０の使用形態の１つである患者の血管内の領域においてプラークまたは組織の量を適時、検出する使用に供する場合には、ステンレススチール等の電極材料製の電極１３８は、必要なものではなく、またそれを遠位端１３２に設けるための手段であるカラー１３７及び電極１３８に対して電気を供給するための手段である鑞付けされたリボン導体１５１は必要でないものといえる。
　そして、一般に複数の機能を有する道具・装置を単能化することは通常行われていることといえ、その際、当該単能の機能に必要でない構成を外すことは技術常識といえるから、刊行物発明の使用を、患者の血管内の領域においてプラークまたは組織の量を適時、検出する使用のみに限るとすると、その使用には必要のない電極１３８、カラー１３７及びリボン導体１５１を取り外すことは自然といえる。
　そして、それらを取り外したカテーテル１３１の先端側端部つまり遠位端１３２には電極１３８及びリボン導体１５１は存在せず、電気絶縁材料であるポリウレタン製カテーテル１３１のみとなることが理解される。
　したがって、当業者であれば、刊行物発明を、患者の血管内の領域においてプラークまたは組織の量を適時、検出する機能に特化するに際し、刊行物発明における装置１３０の遠位置１３２が有するカラー１３７及びそれに取付けられた電極１３８及びリボン導体１５１を取り外し、該遠位端１３２をカテーテル１３１の先端側端部として構成することにより相違点１に係る本願発明の構成とすることは、当業者が容易になし得たものといえる。
　相違点２について：
　血管造影作業に使用されるガイドワイヤとして、所望の位置に位置決めされるばねワイヤガイドは、例えば、特開平１−１３１６５３号公報の第６頁左上欄第１４行〜右上欄１５行及び同頁左下欄第１８行〜右下欄９行に記載されているように周知の技術であり、相違点２に係る本願発明の構成は当業者が、刊行物発明に上記周知の技術を適用することにより容易になし得たものといえる。
　相違点３について：
　造影剤を患部に注入することができるカテーテルにおいて、カテーテルの手元側からカテーテル先端側端部に設けた開口まで管腔が延びているものは、例えば、特開平１−２２７７６６号公報の第４頁右上欄第８〜１０行及び第４図に記載されているように周知の技術である。
　そして、カテーテルにおいてルーメンの開口位置は、カテーテルによって行う医療処置の必要に応じて適宜設定することが技術常識といえることから、刊行物発明に上記周知の技術を適用して刊行物発明におけるＸ線不透過性染料が胆管の奥を向いた方向に注入できるように管腔１３５をカテーテル１３１の先端側端部まで延びるような構成とすること、すなわち相違点３に係る本願発明の「前記カニューレの前記先端側端部に設けられた開口まで延」びている構成とすることは、当業者において容易になし得たものといえる。
　また、刊行物発明においても、血管内の所望の部位にカテーテル１３１の先端を案内するために案内ワイヤー１５７が、上記近位端１３３の手前から上記開口を越えて中心管腔１３４に通されており、上記カテーテル１３１が前進するにつれて、脱イオン水などの洗浄流体が上記管腔１３５に通されるものである。
　ここで、「上記カテーテル１３１が前進するにつれて」とは、具体的には、カテーテル１３１の中心管腔内が案内ワイヤー１５７に案内されてカテーテル１３１が前進するといえるから、案内ワイヤー１５７が中心管腔１３４にあるときに、脱イオン水などの洗浄流体が管腔１３５に通されるものと理解される。
　そうすると、案内ワイヤー１５７と洗浄流体が通る管腔が別々のものであるので、案内ワイヤー１５７が中心管腔１３４内にあるとき、管腔１３５を通してＸ線不透過性染料を注入することができるものといえ、刊行物発明は、相違点３に係る本願発明の、「ガイドワイヤ」が「前記第２管腔内にあるときに該第１管腔を通して造影剤を通過させることができるよう」な構成に相当する構成を備えてなるものといえるから、相違点３に関して、両者は、「ガイドワイヤ」が、「ばねワイヤガイド」であるか、「案内ワイヤ」であるかの相違を除いて相違点があるとはいえない。　
　ばねワイヤガイドと案内ワイヤの相違点は、上記相違点２について検討したように、当業者が容易になし得たものである。
　
　そして、本願発明によってもたらされる効果も、刊行物発明並びに上記周知の技術から当業者が予測できる範囲のことであって、格別なものとはいえない。
　したがって、本願発明は当業者が刊行物発明及び上記周知の技術に基づいて容易に発明をすることができたものである。　
　　
【４】むすび
　本願発明は、刊行物発明及び上記周知の技術に基いて当業者が容易に発明をすることができたものであるから、特許法第２９条第２項の規定により特許を受けることができない。
　よって、結論のとおり審決する。